(57)【特許請求の範囲】
【請求項１】
第１面と、前記第１面の反対側の第２面と、を有した基板と、
前記第１面に実装され、前記第１面と交差する第１方向から外部コネクタが装着されるコネクタと、
前記コネクタへの前記外部コネクタの装着を可能に前記コネクタを露出させる開口部が設けられ前記第１面を覆った第１壁と、前記第２面を覆った第２壁と、前記第１壁と前記第２壁とを接続した第３壁と、を有し、前記コネクタと前記基板とを収容した筐体と、
弾性を有し、前記第２壁から離間し、前記第３壁と前記コネクタとを電気的に接続した接続部材と、
を備え、
前記筐体は、前記第１壁と前記第３壁とを有した第１部材と、前記第２壁を有し前記第１部材と結合された第２部材と、を有し、
前記接続部材は、前記コネクタと接触する接触面を有し、
前記接触面は、前記第１方向に向かうにつれて前記コネクタの中心部に近づくように前記第１方向に対して傾斜した、電子機器。
【請求項２】
第１面と、前記第１面の反対側の第２面と、を有した基板と、
前記第１面に実装され、前記第１面と交差する第１方向から外部コネクタが装着されるコネクタと、
前記コネクタへの前記外部コネクタの装着を可能に前記コネクタを露出させる開口部が設けられ前記第１面を覆った第１壁と、前記第２面を覆った第２壁と、前記第１壁と前記第２壁とを接続した第３壁と、を有し、前記コネクタと前記基板とを収容した筐体と、
弾性を有し、前記第２壁から離間し、前記第３壁と前記コネクタとを電気的に接続した接続部材と、
を備え、
前記筐体は、
前記第１壁における前記開口部の縁部に対して前記筐体の内部に前記第１方向に沿って突出し前記第１方向と交差する第１交差方向への前記接続部材の移動を制限する第１制限部と、
前記縁部に対して前記筐体の内部に前記第１方向に沿って突出し前記第１方向および前記第１交差方向と交差する第２交差方向への前記接続部材の移動を制限する第２制限部と、
を有した、電子機器。
【請求項３】
前記筐体は、
前記第１壁における前記開口部の縁部に対して前記筐体の内部に前記第１方向に沿って突出し前記第１方向と交差する第１交差方向への前記接続部材の移動を制限する第１制限部と、
前記縁部に対して前記筐体の内部に前記第１方向に沿って突出し前記第１方向および前記第１交差方向と交差する第２交差方向への前記接続部材の移動を制限する第２制限部と、
を有した、請求項１に記載の電子機器。
【請求項４】
前記筐体は、前記縁部に対して前記筐体の内部に前記第１方向に沿って突出した枠部を有し、
前記枠部には、凹部が設けられ、
前記第１制限部と前記第２制限部は、前記枠部に含まれて前記凹部を形成した、請求項２または３に記載の電子機器。
【請求項５】
前記筐体は、前記第１壁の内面から前記第１方向に沿って突出し前記第１交差方向に互いに間隔を空けて設けられ前記接続部材を挟んだ一対のリブを有した、請求項４に記載の電子機器。
【請求項６】
前記一対のリブは、前記枠部と前記第３壁とに亘った、請求項５に記載の電子機器。
【発明の詳細な説明】
【技術分野】
【０００１】
本発明は、電子機器に関する。
【背景技術】
【０００２】
従来、基板と、基板の第１面に実装されたコネクタと、基板およびコネクタを収容した筐体と、を備えた電子機器が知られている。この種の電子機器では、例えばコネクタと、基板の第１面とは反対の第２面にする筐体の部分と、を、複数の部材によって電気的に接続した構成がある。
【先行技術文献】
【特許文献】
【０００３】
【特許文献１】特開２０１３−１８７８５８号公報
【発明の概要】
【発明が解決しようとする課題】
【０００４】
この種の電子機器では、例えば、基板の第２面に面する筐体の部分以外にコネクタを電気的に接続できれば、好都合な場合がある。
【０００５】
そこで、本発明の課題の一つは、基板の第２面に面する筐体の部分以外にコネクタを電気的に接続できる新規な構成の電子機器を得ることである。
【課題を解決するための手段】
【０００６】
本発明の第１態様にかかる電子機器は、第１面と、前記第１面の反対側の第２面と、を有した基板と、前記第１面に実装され、前記第１面と交差する第１方向から外部コネクタが装着されるコネクタと、前記コネクタへの前記外部コネクタの装着を可能に前記コネクタを露出させる開口部が設けられ前記第１面を覆った第１壁と、前記第２面を覆った第２壁と、前記第１壁と前記第２壁とを接続した第３壁と、を有し、前記コネクタと前記基板とを収容した筐体と、弾性を有し、前記第２壁から離間し、前記第３壁と前記コネクタとを電気的に接続した接続部材と、を備え、前記筐体は、前記第１壁と前記第３壁とを有した第１部材と、前記第２壁を有し前記第１部材と結合された第２部材と、を有し、前記接続部材は、前記コネクタと接触する接触面を有し、前記接触面は、前記第１方向に向かうにつれて前記コネクタの中心部に近づくように前記第１方向に対して傾斜している。
【０００７】
前記電子機器では、例えば、前記筐体は、前記第１壁と前記第３壁とを有した第１部材と、前記第２壁を有し前記第１部材と結合された第２部材と、を有し、前記接続部材は、前記外部コネクタと接触する接触面を有し、前記接触面は、前記第１方向に向かうにつれて前記コネクタの中心部に近づくように前記第１方向に対して傾斜している。
【０００８】
前記電子機器では、例えば、前記筐体は、前記第１壁における前記開口部の縁部に対して前記筐体の内部に前記第１方向に沿って突出し前記第１方向と交差する第１交差方向への前記接続部材の移動を制限する第１制限部と、前記縁部に対して前記筐体の内部に前記第１方向に沿って突出し前記第１方向および前記第１交差方向と交差する第２交差方向への前記接続部材の移動を制限する第２制限部と、を有する。
本発明の第２態様にかかる電子機器は、第１面と、前記第１面の反対側の第２面と、を有した基板と、前記第１面に実装され、前記第１面と交差する第１方向から外部コネクタが装着されるコネクタと、前記コネクタへの前記外部コネクタの装着を可能に前記コネクタを露出させる開口部が設けられ前記第１面を覆った第１壁と、前記第２面を覆った第２壁と、前記第１壁と前記第２壁とを接続した第３壁と、を有し、前記コネクタと前記基板とを収容した筐体と、弾性を有し、前記第２壁から離間し、前記第３壁と前記コネクタとを電気的に接続した接続部材と、を備え、前記筐体は、前記第１壁における前記開口部の縁部に対して前記筐体の内部に前記第１方向に沿って突出し前記第１方向と交差する第１交差方向への前記接続部材の移動を制限する第１制限部と、前記縁部に対して前記筐体の内部に前記第１方向に沿って突出し前記第１方向および前記第１交差方向と交差する第２交差方向への前記接続部材の移動を制限する第２制限部と、を有する。
【０００９】
前記電子機器では、例えば、前記筐体は、前記縁部に対して前記筐体の内部に前記第１方向に沿って突出した枠部を有し、前記枠部には、凹部が設けられ、前記第１制限部と前記第２制限部は、前記枠部に含まれて前記凹部を形成している。
【００１０】
前記電子機器では、例えば、前記筐体は、前記第１壁の内面から前記第１方向に沿って突出し前記第１交差方向に互いに間隔を空けて設けられ前記接続部材を挟んだ一対のリブを有する。
【００１１】
前記電子機器では、例えば、前記一対のリブは、前記枠部と前記第３壁とに亘っている。
【発明の効果】
【００１２】
本発明の上記態様によれば、基板の第２面に面する筐体の部分以外にコネクタを電気的に接続できる新規な構成の電子機器を得ることができる。
【図面の簡単な説明】
【００１３】
【図１】図１は、第１実施形態の電子機器の正面側からの例示的な斜視図であって、電子機器にポートリプリケータが接続された状態の図である。
【図２】図２は、第１実施形態の電子機器におけるベース部の一部の例示的な断面図である。
【図３】図３は、第１実施形態の電子機器におけるベース部の一部の例示的な分解断面図である。
【図４】図４は、第１実施形態の電子機器におけるベース部のロアカバーの例示的な斜視図であって、接続部材が取り付けられた状態の図である。
【図５】図５は、第１実施形態の電子機器におけるベース部のロアカバーの例示的な斜視図であって、接続部材が取り外された状態の図である。
【図６】図６は、第１実施形態の電子機器における接続部材の例示的な断面図である。
【図７】図７は、第２実施形態の変形例の電子機器におけるベース部の一部の例示的な断面図である。
【図８】図８は、第２実施形態の変形例の電子機器におけるベース部の一部の例示的な分解断面図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果のうち少なくとも一つを得ることが可能である。
【００１５】
なお、本明細書では、序数は、部品や、部材、部位、位置、方向等を区別するためだけに用いられており、順番や優先度を示すものではない。
【００１６】
＜第１実施形態＞
図１は、実施形態の電子機器１０の正面側からの例示的な斜視図であって、電子機器にポートリプリケータ１００が接続された状態の図である。
【００１７】
図１に示されるように、電子機器１０は、例えば、ノートブック型（クラムシェル型）のパーソナルコンピュータとして構成され、ベース部３２と、ディスプレイ部３３と、を備えている。ベース部３２は、例えば机や、台、棚等の載置部の平面に載置される。ディスプレイ部３３は、ベース部３２に対して回転中心軸Ｃ回りに回転可能にベース部３２に支持され、展開位置と閉じ位置（不図示）との間を移動可能である。具体的には、ディスプレイ部３３は、ヒンジ３５を介してベース部３２に連結されている。なお、電子機器１０は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機、記憶装置等であってもよい。
【００１８】
また、ベース部３２には、ポートリプリケータ１００が着脱可能に接続される。ポートリプリケータ１００は、ベース部３２と接続されるコネクタ１０１（図２）と、他の装置と接続される複数のコネクタ（ＩＯコネクタ）と、を有し、電子機器１０と他の装置とを電気的に接続可能である。ポートリプリケータ１００は、拡張装置の一例である。
【００１９】
実施形態では、便宜上、互いに直交する三方向が定義されている。Ｘ方向は、ベース部３２の奥行方向（前後方向、短手方向）に沿い、Ｙ方向は、ベース部３２の幅方向（左右方向、長手方向）に沿い、Ｚ方向は、ベース部３２の高さ方向（上下方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００２０】
図１に示されるように、ベース部３２は、第１筐体１１と、第１筐体１１に支持されたキーボード１２と、を有している。キーボード１２は、上方から操作可能な状態に第１筐体１１に支持されている。
【００２１】
図２は、第１実施形態の電子機器１０におけるベース部３２の一部の例示的な断面図である。図３は、第１実施形態の電子機器１０におけるベース部３２の一部の例示的な分解断面図である。
【００２２】
図２および図３に示されるように、第１筐体１１内には、基板５０や接続部材５１が収容されている。基板５０には、ＣＰＵ（Central  Processing  Unit）や、ＲＯＭ（Read  Only  Memory）、ＲＡＭ（Random  Access  Memory）、コネクタ５２等の複数の電子部品が実装されている。基板５０に設けられた配線と基板５０に取り付けられた複数の電子部品とによって、電子機器１０の電子回路の少なくとも一部が構成されている。
【００２３】
図１に示されるように、ディスプレイ部３３は、第２筐体２１と、ディスプレイユニット２２と、を有している。ディスプレイユニット２２は、表示画面２２ａが前方から視認可能な状態に、第２筐体２１に支持されている。
【００２４】
ディスプレイ部３３が展開位置に位置した状態では、第１筐体１１の上面１１ａおよびキーボード１２と、第２筐体２１の前面２１ａおよびディスプレイユニット２２の表示画面２２ａとが対向せず、第１筐体１１の上面１１ａ、キーボード１２、第２筐体２１の前面２１ａ、ディスプレイユニット２２の表示画面２２ａが露出する。このとき、第２筐体２１の前面２１ａおよび後面２１ｂは、それぞれ、前方および後方を向く。
【００２５】
一方、ディスプレイ部３３が閉じ位置に位置した状態では、第１筐体１１の上面１１ａおよびキーボード１２と、第２筐体２１の前面２１ａおよびディスプレイユニット２２の表示画面２２ａとが対向する。
【００２６】
第１筐体１１の形状は、上下方向に扁平な略直方体である。第１筐体１１は、例えば、下壁１１ｃや、上壁１１ｄ、前壁１１ｅ、後壁１１ｆ、左壁１１ｇ、右壁１１ｈ等の複数の壁を有している。
【００２７】
下壁１１ｃは、下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。下壁１１ｃには、第１筐体１１を載置部の平面から離間した状態に支持する複数の支持部材（不図示）が設けられている。支持部材は、脚やゴム脚等とも称される。
【００２８】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。また、後壁１１ｆは、上壁１１ｄと下壁１１ｃとを接続している。後壁１１ｆは、Ｚ方向に向かうにつれてＸ方向の反対方向に向かうようにＺ方向に対して傾斜した傾斜部１１ｆｂ（図２）を有する。
【００２９】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１筐体１１の左端部１１ｋおよび右端部１１ｍを構成している。
【００３０】
また、第１筐体１１には、四つの角部１１ｎａ〜１１ｎｄが設けられている。角部１１ｎａは、前壁１１ｅと左壁１１ｇとの交差部によって構成されている。角部１１ｎｂは、左壁１１ｇと後壁１１ｆとの交差部によって構成されている。角部１１ｎｃは、後壁１１ｆと右壁１１ｈとの交差部によって構成されている。角部１１ｎｄは、右壁１１ｈと前壁１１ｅとの交差部によって構成されている。
【００３１】
また、第１筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。
【００３２】
図４は、第１実施形態の電子機器１０におけるベース部３２のロアカバー１３の例示的な斜視図であって、接続部材５１が取り付けられた状態の図である。図５は、第１実施形態の電子機器１０におけるベース部３２のロアカバー１３の例示的な斜視図であって、接続部材５１が取り外された状態の図である。
【００３３】
図２〜図５に示されるように、第１筐体１１の下壁１１ｃには、開口部１１ｂａが設けられている。開口部１１ｂａは、下壁１１ｃを貫通している。開口部１１ｂａは、貫通孔とも称される。開口部１１ｂａからコネクタ５２が露出する。開口部１１ｂａは、コネクタ５２へのコネクタ１０１の装着を可能にコネクタ５２を露出させる。コネクタ１０１は、外部コネクタの一例である。なお、開口部１１ｂａは、切り欠きであってもよい。
【００３４】
図２に示されるように、基板５０は、第１面５０ａと、第１面５０ａの反対側の第２面５０ｂと、を有する。第１面５０ａは、Ｚ方向の反対方向を向き、下壁１１ｃに覆われている。第２面５０ｂは、Ｚ方向を向き、上壁１１ｄに覆われている。
【００３５】
コネクタ５２は、第１面５０ａに実装されている。コネクタ５２は、第１面５０ａと交差（例えば、直交）する第１方向Ｄ１からコネクタ１０１が装着される。すなわち、コネクタ１０１は、第１方向Ｄ１の反対方向に移動されてコネクタ５２に装着される。第１方向Ｄ１は、Ｚ方向の反対方向と同じである。コネクタ５２は、四角筒状のシェル５２ａを有する。シェル５２ａは、側面５２ｂを含む複数の面を有する。側面５２ｂは、Ｘ方向と直交する方向に延び、Ｘ方向の反対方向、すなわち後壁１１ｆに向いている。コネクタ５２は、種々のコネクタであってよい。
【００３６】
接続部材５１は、後壁１１ｆとコネクタ５２との間に介在し、後壁１１ｆとコネクタ５２とを電気的に接続している。本実施形態では、接続部材５１は、二つ設けられている
接続部材５１は、弾性を有している。接続部材５１は、弾性変形した状態で、後壁１１ｆとコネクタ５２との間に介在している。コネクタ５２に対するコネクタ１０１の装着時に、コネクタ１０１からコネクタ５２に静電気が伝達された場合には、当該静電気は、接続部材５１を介して後壁１１ｆに伝達される。なお、後壁１１ｆの内面１１ｆａは、導電性を有し、グランド部として機能する。
【００３７】
図６は、第１実施形態の電子機器１０における接続部材５１の例示的な断面図である。図６に示されるように、接続部材５１は、四つの面５１ａ〜５１ｄを有する。面５１ａと面５１ｃとは、互いに反対側の面であり、面５１ｂと面５１ｄとは、互いに反対側の面である。面５１ａは、コネクタ５２の側面５２ｂと接触している（図２）。面５１ａは、第１方向Ｄ１に向かうにつれてコネクタ５２のＸ方向の中心部に近づくように第１方向Ｄ１に対して傾斜している。面５１ａは、接触面の一例である。面５２ｃは、導電性の両面接着テープ５５によって後壁１１ｆにおける傾斜部１１ｆｂの内面１１ｆａに固定されている（図２）。
【００３８】
また、接続部材５１は、導電性のスポンジ５３と、スポンジ５３を被覆した導電性の被覆部材５４と、を有する。被覆部材５４は、例えば導電性を有したシート状部材である。なお、接続部材５１は、板バネ等であってもよい。
【００３９】
次に、第１筐体１１おける接続部材５１の支持に関わる構成について詳細に説明する。
【００４０】
図４および図５に示されるように、第１筐体１１は、枠部４０を有する。枠部４０は、下壁１１ｃにおける開口部１１ｄａの縁部１１ｂｂから第１筐体１１の内部に第１方向Ｄ１に沿って突出している。具体的には、枠部４０は、第１方向Ｄ１の反対方向、すなわちＺ方向に突出している。枠部４０は、四角枠状に形成されている。
【００４１】
枠部４０は、前壁４０ａと、後壁４０ｂと、左壁４０ｃと、右壁４０ｄと、を有する。
【００４２】
後壁４０ｂのＸ方向の端部とＸ方向の反対方向の端部とには、それぞれ接続部材５１を支持する支持部３９Ａ，３９Ｂが設けられている。支持部３９Ａと支持部３９Ｂとは、枠部４０の中心を通りＹ方向と直交する平面（ＸＺ平面）に関して対称である。以後、支持部３９Ａと支持部３９Ｂとを区別して説明しない場合には、支持部３９を用いる場合がある。
【００４３】
支持部３９には、接続部材５１が入れられて嵌められた凹部４０ｅが設けられている。凹部４０ｅは、枠部４０における、後壁４０ｂと左壁４０ｃと交点（角部）または後壁４０ｂと右壁４０ｄの交点（角部）に設けられている。
【００４４】
支持部３９は、凹部４０ｅを形成する面４０ｆ，４０ｇを有する。面４０ｆ，４０ｇは、枠部４０に含まれる。面４０ｆは、下壁１１ｃにおける開口部１１ｂａの縁部１１ｂｂに対して第１筐体１１の内部に第１方向Ｄ１に沿って突出し、第１方向Ｄ１と交差するＹ方向またはＹ方向の反対方向への接続部材５１の移動を制限する。面４０ｆは、第１制限部の一例である。Ｙ方向、およびＹ方向の反対方向は、第１交差方向の一例である。
【００４５】
面４０ｇは、縁部１１ｂｂに対して第１筐体１１の内部に第１方向Ｄ１に沿って突出し第１方向Ｄ１およびＹ方向（Ｙ方向の反対方向）と交差するＸ方向への接続部材５１の移動を制限する。面４０ｇは、第２制限部の一例である。
【００４６】
また、支持部３９は、一対のリブ４１，４２を有する。一対のリブ４１，４２は、下壁１１ｃの内面１１ｃｃから第１方向Ｄ１に沿って突出し、Ｙ方向（Ｙ方向の反対方向）に互いに間隔を空けて設けられている。一対のリブ４１，４２は、接続部材５１を挟んでいる。一対のリブ４１，４２は、枠部４０と後壁１１ｆとに亘っている。
【００４７】
以上の構成の電子機器１０のベース部３２の組み立てにおいては、例えば、ロアカバー１３に接続部材５１が取り付けられ、アッパーカバー１４にコネクタ５２が実装された基板５０が取り付けられる（図３）。次に、ロアカバー１３が、アッパーカバー１４に対してＺ方向に沿って移動されて、ロアカバー１３とアッパーカバー１４とが結合される（図２）。このとき、コネクタ５２の先端部のＹ方向の角部５２ｄと接続部材５１の面５１ａとが接触し、角部５２ｄと面５１ａとが相対的に摺動する。これにより、コネクタ１０１の先端部に接続部材５１が引っ掛かるのが抑制される。
【００４８】
以上のように、電子機器１は、基板５０と、コネクタ５２と、第１筐体１１（筐体）と、接続部材５１と、を備える。基板５０は、第１面５０ａと、第１面５０ａの反対側の第２面５０ｂと、を有する。コネクタ５２は、第１面５０ａに実装され、第１面５０ａと交差する第１方向Ｄ１からコネクタ１０１（外部コネクタ）が装着される。第１筐体１１は、コネクタ５２と、コネクタ５２へのコネクタ１０１の装着を可能にコネクタ５２を露出させる開口部１１ｂａが設けられ第１面５０ａを覆った下壁１１ｃ（第１壁）と、第２面５０ｂを覆った上壁１１ｄ（第２壁）と、下壁１１ｃと上壁１１ｄとを接続した後壁１１ｆ（第３壁）と、を有し、コネクタ５２と基板５０とを収容している。接続部材５１は、弾性を有し、上壁１１ｄから離間し、後壁１１ｆとコネクタ５２とを電気的に接続している。
【００４９】
このような構成によれば、例えば、基板５０の第２面５０ｂに面する第１筐体１１の部分（上壁１１ｄ）以外の部分として後壁１１ｆにコネクタ５２を電気的に接続できる新規な構成の電子機器１が得られる。このような構成によれば、上壁１１ｄにコネクタ５２を電気的に接続する場合に比べて、コネクタ５２と第１筐体１１とを電気的に接続するための構成を簡素にしやすい。また、ベース部３２のＺ方向の厚さを薄くしやすい。また、基板５０の第２面５０ｂに、第１筐体１１の上壁１１ｄとコネクタ５２とを接続するための構成を設ける必要が無いので、上壁１１ｄと基板５０の第２面５０ｂとの距離を小さくして電子機器の厚さを薄くしやすいという利点がある。
【００５０】
また、電子機器１では、例えば、第１筐体１１は、下壁１１ｃと後壁１１ｆとを有したロアカバー１３（第１部材）と、上壁１１ｄを有しロアカバー１３と結合されたアッパーカバー１４（第２部材）と、を有する。接続部材５１は、コネクタ５２と接触する面５１ａ（接触面）を有する。面５１ａは、第１方向Ｄ１に向かうにつれてコネクタ５２の中心部に近づくように第１方向Ｄ１に対して傾斜している。
【００５１】
このような構成によれば、例えば、ロアカバー１３とアッパーカバー１４とを組み付ける際に、接続部材５１とコネクタ５２とを接触させやすい。
【００５２】
また、電子機器１では、例えば、第１筐体１１は、上壁１１ｄにおける開口部１１ｂａの縁部１１ｂｂに対して第１筐体１１の内部に第１方向Ｄ１に沿って突出し第１方向Ｄ１と交差するＹ方向またはＹ方向の反対方向（第１交差方向）への接続部材５１の移動を制限する面４０ｆ（第１制限部）と、縁部１１ｂｂに対して第１筐体１１の内部に第１方向Ｄ１に沿って突出し第１方向Ｄ１およびＹ方向（第１交差方向）と交差するＸ方向（第２交差方向）への接続部材５１の移動を制限する面４０ｇ（第２制限部）と、を有する。
【００５３】
このような構成によれば、例えば、接続部材５１のＹ方向またはＹ方向の反対方向（第１交差方向）およびＸ方向（第２交差方向）への移動を面４０ｆ，４０ｇによって制限することができる。
【００５４】
また、電子機器１では、例えば、第１筐体１１は、縁部１１ｂｂから第１筐体１１の内部に第１方向Ｄ１に沿って突出した枠部４０を有する。枠部４０には、凹部４０ｅが設けられている。面４０ｆと面４０ｇとは、枠部４０に含まれて凹部４０ｅを形成している。
【００５５】
このような構成によれば、枠部４０とは別に第１制限部および第２制限部が設けられた構成に比べて、電子機器１の構成を簡素化しやすい。
【００５６】
また、電子機器１では、例えば、第１筐体１１は、下壁１１ｃの内面１１ｃｃから第１方向Ｄ１に沿って突出しＹ方向（第１交差方向）に互いに間隔を空けて設けられ接続部材５１を挟んだ一対のリブ４１，４２を有する。
【００５７】
このような構成によれば、凹部４０ｅを設けた場合でも、一対のリブ４１，４２によって第１筐体１１の強度および剛性の低下を抑制することができるとともに、一対のリブ４１，４２によって接続部材５１の移動を制限することができる。
【００５８】
また、電子機器１では、例えば、一対のリブ４１，４２は、枠部４０と後壁１１ｆとに亘っている。
【００５９】
このような構成によれば、凹部４０ｅを設けた場合でも、一対のリブ４１，４２によって第１筐体１１の強度および剛性の低下をより一層抑制することができる。
【００６０】
＜第２実施形態＞
図７は、第２実施形態の変形例の電子機器１０におけるベース部３２の一部の例示的な断面図である。図８は、第２実施形態の変形例の電子機器１０におけるベース部３２の一部の例示的な分解断面図である。
【００６１】
図７および図８に示されるように、本実施形態は、接続部材５１が、両面接着テープ５５によって枠部４０に固定されている点が第１の実施形態と異なる。また、本実施形態では、ロアカバー１３とアッパーカバー１４とを分離させた状態では、接続部材５１の面５１ａがＺ方向に沿う。
【００６２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６３】
１…電子機器、１１…第１筐体（筐体）、１１ｂａ…開口部、１１ｂｂ…縁部、１１ｃ…下壁（第１壁）、１１ｄ…上壁（第２壁）、１１ｆ…後壁（第３壁）、１３…ロアカバー（第１部材）、１４…アッパーカバー（第２部材）、４０…枠部、４０ｅ…凹部、４０ｆ…面（第１制限部）、４０ｇ…面（第２制限部）、５０…基板、５０ａ…第１面、５０ｂ…第２面、５１…接続部材、５１ａ…面（接触面）、５２…コネクタ、１０１…コネクタ（外部コネクタ）、Ｄ１…第１方向。
【要約】
【課題】基板の第２面に面する筐体の部分以外にコネクタを電気的に接続できる新規な構成の電子機器を得る。
【解決手段】電子機器は、基板と、コネクタと、筐体と、接続部材と、を備える。コネクタは、コネクタの第１面に実装されている。筐体は、コネクタと、コネクタへの外部コネクタの装着を可能にコネクタを露出させる開口部が設けられ第１面を覆った第１壁と、基板の第２面を覆った第２壁と、第１壁と第２壁とを接続した第３壁と、を有し、コネクタと基板とを収容している。接続部材は、弾性を有し、第２壁から離間し、第３壁とコネクタとを電気的に接続している。
【選択図】図２【図１】
0006734557.tif 000002
【図２】
0006734557.tif 000003
【図３】
0006734557.tif 000004
【図４】
0006734557.tif 000005
【図５】
0006734557.tif 000006
【図６】
0006734557.tif 000007
【図７】
0006734557.tif 000008
【図８】
0006734557.tif 000009